(57)【要約】【課題】    開閉操作の操作性を良好にすることができる建具を提供すること。【解決手段】障子操作部５における操作アーム５２を開位置に回動操作することでスライド部材５３が室外側にスライド移動されるとともに、操作アーム５２の第２当接面部５２Ｃがスライドベース部５１Ｂの被当接面部５１Ｄに当接して障子３を開放位置に位置決めすることができる。一方、操作アーム５２を閉位置に回動操作することでスライド部材５３が室内側にスライド移動されるとともに、操作アーム５２の第１当接面部５２Ｂがスライドベース部５１Ｂの被当接面部５１Ｄに当接して障子３を閉鎖位置に位置決めすることができる。従って、操作アーム５２を回動させるだけの簡単な操作で障子３を開閉することができ、開閉操作の操作性を良好にすることができる。【選択図】  図１０
2006328909.tif 000002
【特許請求の範囲】
【請求項１】
開口部を有した枠体と、この枠体に支持された面材とを備え、この面材が前記枠体の開口部を塞ぐ閉鎖位置と、前記枠体の見込み方向一方側に突出した開放位置との間を開閉移動可能に設けられた突出し形式の建具であって、
前記枠体の前記開口部を形成する開口端縁に固定された操作本体部と、この操作本体部に支持されて前記枠体の見込み方向に沿ってスライド自在に設けられたスライド部材と、このスライド部材の一端側に軸支された回動部材とを有するとともに、前記スライド部材の他端側に前記面材が連結された面材操作部を備え、
前記回動部材は、前記操作本体部に当接可能な第１および第２の当接面部を有して形成されるとともに、この第１当接面部が前記操作本体部に当接する閉位置と、第２当接面部が前記操作本体部に当接する開位置との間を回動可能に前記スライド部材に連結され、
前記回動部材を開位置に回動操作して前記第２当接面部を前記操作本体部に当接させることで、前記スライド部材がスライド移動されて前記面材が開放位置に位置決めされ、
前記回動部材を閉位置に回動操作して前記第１当接面部を前記操作本体部に当接させることで、前記スライド部材がスライド移動されて前記面材が閉鎖位置に位置決めされる建具。
【請求項２】
前記回動部材の回動中心から前記第１当接面部までの法線方向の距離が、当該回動中心から前記第２当接面部までの法線方向の距離よりも大きく設定されている請求項１に記載の建具。
【請求項３】
前記面材操作部には、前記面材の閉鎖位置から開放位置に向かう方向に前記スライド部材を付勢する付勢手段が設けられ、前記付勢手段が前記操作本体部内に設けられている請求項１または請求項２に記載の建具。
【請求項４】
前記操作本体部は、前記開口端縁に固定される第１部材と、この第１部材にスライド自在に支持された第２部材とを有して構成され、この第２部材は、前記回動部材の第１および第２の当接面部に当接される被当接面部を有して形成され、
前記回動部材を開位置に回動した状態で前記第２部材を前記第１部材に対してスライド操作することで、前記被当接面部と前記第２当接面部との当接が外れ、前記回動部材および前記スライド部材が見込み方向一方側にスライド操作可能になるとともに、このスライド操作により前記面材が前記開放位置よりも大きく開放可能に構成されている請求項１から請求項３のいずれかに記載の建具。
【請求項５】
前記面材操作部が前記開口部を挟んで互いに対向する一対の前記開口端縁にそれぞれ設けられ、これら一対の面材操作部における前記回動部材同士を連結する操作ハンドルが設けられている請求項１から請求項４のいずれかに記載の建具。
【請求項６】
建物の出入口に開閉可能に設けられた扉体から前記枠体が構成されるとともに、この扉体に対して室外側に突出して前記面材が開閉可能に設けられたドアである請求項１から請求項５のいずれかに記載の建具。
【発明の詳細な説明】
【技術分野】
【０００１】
本発明は、建具に関し、詳しくは、枠体の開口を塞ぐ閉鎖位置と枠体の見込み方向一方側に突出した開放位置との間を開閉移動可能な面材を有した建具に関する。
【背景技術】
【０００２】
面材が窓枠等の枠体から突出して開放される突出し窓（押出し窓）等の建具が知られている（例えば、特許文献１参照）。
特許文献１に記載された突出し窓は、面材（窓本体）が枠体に対して略平行に突没することで開閉するように構成されている。すなわち、この突出し窓では、面材の上下左右の各辺がパンタグラフ機構（支持機構）等の平行リンク機構を介して枠体に支持されており、これらの平行リンク機構の見込み方向への伸縮に伴って面材が突没可能に支持されている。そして、面材には、枠体に軸支されるとともに見込み方向に進退自在に支持されたアーム部材（揺動アーム）が連結されており、このアーム部材を回動操作してから見込み方向に突没操作することで、面材が開閉操作可能に構成されている。
【０００３】
【特許文献１】特開平１０−２１４９号公報
【発明の開示】
【発明が解決しようとする課題】
【０００４】
しかしながら、前記特許文献１に記載された従来の突出し窓では、面材を開放する際にはアーム部材を上方に回動してから室外側に向かって押し出すとともに押し出した位置でアーム部材を位置決めする、あるいは面材を閉鎖する際にはアーム部材の位置決めを解除してからアーム部材を室内側に引っ張るとともに下方に回動する必要がある。このように、開放および閉鎖のいずれの場合においても少なくとも２種類の異なる操作が必要となってしまい、開閉操作が煩雑になって良好な操作性を得ることができないという問題がある。
【０００５】
本発明の目的は、開閉操作の操作性を良好にすることができる建具を提供することにある。
【課題を解決するための手段】
【０００６】
本発明の建具は、開口部を有した枠体と、この枠体に支持された面材とを備え、この面材が前記枠体の開口部を塞ぐ閉鎖位置と、前記枠体の見込み方向一方側に突出した開放位置との間を開閉移動可能に設けられた突出し形式の建具であって、前記枠体の前記開口部を形成する開口端縁に固定された操作本体部と、この操作本体部に支持されて前記枠体の見込み方向に沿ってスライド自在に設けられたスライド部材と、このスライド部材の一端側に軸支された回動部材とを有するとともに、前記スライド部材の他端側に前記面材が連結された面材操作部を備え、前記回動部材は、前記操作本体部に当接可能な第１および第２の当接面部を有して形成されるとともに、この第１当接面部が前記操作本体部に当接する閉位置と、第２当接面部が前記操作本体部に当接する開位置との間を回動可能に前記スライド部材に連結され、前記回動部材を開位置に回動操作して前記第２当接面部を前記操作本体部に当接させることで、前記スライド部材がスライド移動されて前記面材が開放位置に位置決めされ、前記回動部材を閉位置に回動操作して前記第１当接面部を前記操作本体部に当接させることで、前記スライド部材がスライド移動されて前記面材が閉鎖位置に位置決めされることを特徴とする。
【０００７】
ここで、枠体としては、建物等の躯体に固定されたものでもよく、また枠体自身が躯体等に開閉移動可能に支持されたものでもよい。
また、面材としては、ガラスパネルや樹脂製パネル等の板材から形成されたものでもよく、上下左右の框材を四周框組みした内部に板材を嵌め込んで形成された障子でもよい。
さらに、枠体に対して出没自在に面材を支持する手段としては、従来の突出し窓と同様の平行リンク機構や、その他任意の支持構造が採用可能である。
【０００８】
以上の本発明によれば、回動部材を開位置に回動操作することでスライド部材が見込み方向一方側（例えば、室外側）に移動されるとともに、第２当接面部が操作本体部に当接して面材が開放位置に位置決めされ、回動部材を閉位置に回動操作することでスライド部材が見込み方向他方側（例えば、室内側）に移動されるとともに、第１当接面部が操作本体部に当接して面材が閉鎖位置に位置決めされるので、回動部材を回動するだけの簡単な操作で面材を開閉することができ、開閉操作の操作性を良好にすることができる。
【０００９】
この際、本発明の建具では、前記回動部材の回動中心から前記第１当接面部までの法線方向の距離が、当該回動中心から前記第２当接面部までの法線方向の距離よりも大きく設定されていることが好ましい。
このような構成によれば、回動部材の第２当接面部よりも第１当接面部における回動中心（例えば、回動軸）からの距離を大きくしたことで、第１当接面部が操作本体部に当接した際の回動中心の位置よりも、第２当接面部が操作本体部に当接した際の回動中心の位置が見込み方向一方側になって、この距離の差分だけスライド部材および面材を突没させることができる。そして、回動部材に第１および第２の当接面部を形成しておくだけの簡単な構造で面材の突没量を設定することができ、面材操作部の構造を簡単にして製造コストの低減を図ることができる。
【００１０】
また、本発明の建具では、前記面材操作部には、前記面材の閉鎖位置から開放位置に向かう方向に前記スライド部材を付勢する付勢手段が設けられ、前記付勢手段が前記操作本体部内に設けられていることが好ましい。
このような構成によれば、スライド部材を付勢する付勢手段を設けたことで、面材が開放された状態において、付勢手段の付勢力によってスライド部材を介して回動部材の第２当接面部を操作本体部に押しつけることができ、面材を開放位置に維持させることができる。さらに、面材が閉鎖された状態においても、付勢手段の付勢力によってスライド部材を介して回動部材の第１当接面部を操作本体部に押しつけることができ、面材を閉鎖位置に維持させることができる。また、付勢手段を操作本体部内に設けたことで、付勢手段を隠蔽することができ、従来の突出し窓のようにアーム部材やその案内部分等が露出することがなく、建具の意匠性を向上させることができる。
【００１１】
さらに、本発明の建具では、前記操作本体部は、前記開口端縁に固定される第１部材と、この第１部材にスライド自在に支持された第２部材とを有して構成され、この第２部材は、前記回動部材の第１および第２の当接面部に当接される被当接面部を有して形成され、前記回動部材を開位置に回動した状態で前記第２部材を前記第１部材に対してスライド操作することで、前記被当接面部と前記第２当接面部との当接が外れ、前記回動部材および前記スライド部材が見込み方向一方側にスライド操作可能になるとともに、このスライド操作により前記面材が前記開放位置よりも大きく開放可能に構成されていることが好ましい。
このような構成によれば、操作本体部の第２部材をスライドさせることで、開放位置よりも大きく面材を開放することができるため、例えば、枠体の開口端縁や面材の外周部等を清掃したり面材を枠体から取り外したりする際に面材を大きく開放すれば、清掃作業や着脱作業等を容易に実施することができる。
【００１２】
さらに、本発明の建具では、前記面材操作部が前記開口部を挟んで互いに対向する一対の前記開口端縁にそれぞれ設けられ、これら一対の面材操作部における前記回動部材同士を連結する操作ハンドルが設けられていることが好ましい。
このような構成によれば、操作ハンドルを操作して一対の回動部材を回動させることで、面材における互いに対向した辺を押し引きして開閉することができ、各面材操作部を両手で操作する必要がなく、片手でも開閉操作することができて操作性をさらに良好にすることができる。
【００１３】
また、本発明の建具は、建物の出入口に開閉可能に設けられた扉体から前記枠体が構成されるとともに、この扉体に対して室外側に突出して前記面材が開閉可能に設けられたドアであることが好ましい。
このような構成によれば、扉体に面材を突没開閉可能に支持させたことで、前述の各作用効果を有したドアを構成することができるとともに、扉体を閉じた施錠状態で面材を開放すれば、防犯性を有したままで通気や換気を実施することができ、快適な室内環境を得ることができる。。
【発明を実施するための最良の形態】
【００１４】
以下、本発明の各実施形態を図面に基づいて説明する。
なお、第２実施形態以降において、次の第１実施形態で説明する構成部材と同じ構成部材、および同様な機能を有する構成部材には、第１実施形態の構成部材と同じ符号を付し、それらの説明を省略または簡略化する。
【００１５】
〔第１実施形態〕
図１および図２は、それぞれ本発明の第１実施形態に係る建具であるドア１を示す姿図であって、図１は、ドア１を室内側から見た内観姿図であり、図２は、ドア１を室外側から見た外観姿図である。図３および図４は、それぞれドア１を示す縦断面図および横断面図であり、障子３を閉じた状態を示している。図５および図６は、それぞれドア１を示す縦断面図および横断面図であり、障子３を開いた状態を示している。ここで、図３および図５は、図１に矢視III −III 線（矢視Ｖ−Ｖ線）で示す断面図であり、図４および図６は、図１に矢視IV−IV線（矢視VI−VI線）で示す断面図である。
図１〜図６において、ドア１は、戸建て住宅や集合住宅等の建物の出入り口（玄関や勝手口）に設けられて建物の室内空間と室外空間とを仕切るとともに、開閉することで居住者等が出入り可能、かつ施錠することで防犯性を有して構成されたものである。なお、各図において、ドア１が取り付けられる建物の外壁や、外壁に固定されたドア枠等の図示を省略した。
【００１６】
ドア１は、金属製の板材を組み合わせて全体略矩形状に形成された枠体としての扉体２と、この扉体２の開口部２Ａ部分に支持された面材としての障子３と、扉体２をヒンジを介して開閉可能に支持するドア枠（不図示）とを備えて構成されている。扉体２の略中央部には、上下左右の開口端縁２１，２２，２３（図５、６参照）から縦長矩形状に形成された開口部２Ａが設けられている。
障子３は、上框３１、下框３２、および左右の縦框３３を四周框組みした内部に、ガラスパネル３４を嵌め込んで構成されている。この障子３は、扉体２の開口部２Ａを塞ぐ閉鎖位置（図３および図４の位置）と、扉体２の見込み方向室外側に突出した開放位置（図５および図６の位置）との間を突没移動可能に支持されている。そして、障子３の上框３１には、室内側に向かって突出した止水片部３１Ａが形成され、下框３２および左右の縦框３３には、室内側に向かって突出して網で覆われた通気部３２Ａ，３３Ａが形成されている。これらの止水片部３１Ａおよび通気部３２Ａ，３３Ａは、開放位置における障子３の上框３１、下框３２、および左右の縦框３３と扉体２の上下左右の開口端縁２１，２２，２３との隙間を覆うようになっており、これによって上方からの雨の浸入を防止するとともに虫や埃等の侵入を防止しつつ、通気部３２Ａ，３３Ａを通して通気や換気が実施できるようになっている。
【００１７】
そして、ドア１には、障子３を見込み方向に突没移動可能に支持する障子支持部４と、障子３を開閉操作するための障子操作部（面材操作部）５とが設けられている。以下、障子支持部４および障子操作部５の構造について、図７〜図１２も参照して詳しく説明する。
図７は、障子支持部４を示す横断面図であり、図８(Ａ)，(Ｂ)は、障子支持部４の動作を示す側面図である。図９は、障子操作部５を示す横断面図である。図１０(Ａ)，(Ｂ)は、それぞれ障子操作部５を拡大して示す側面図であり、図１０(Ａ)は、回動部材である操作アーム５２が閉位置にある状態を示し、図１０(Ａ)は、操作アーム５２が開位置にある状態を示している。図１１(Ａ)〜(Ｃ)は、それぞれ障子操作部５の動作を示す側面図である。図１２(Ａ)〜(Ｃ)は、それぞれ障子操作部５の動作を示す断面図である。なお、図７および図９は、それぞれ障子３を後述するメンテナンス位置まで開放した状態における障子支持部４および障子操作部５を示している。
【００１８】
障子支持部４は、扉体２の左右の開口端縁（縦開口端縁）２３における上下に離隔した位置である上部および下部に、それぞれ開口部２Ａを挟んで互いに対向して一対ずつが２組（４箇所に）設けられている。これらの障子支持部４は、図７に示すように、開口端縁２３に固定された枠側ブラケット４１と、障子３の縦框３３に固定された障子側ブラケット４２と、これらの枠側ブラケット４１および障子側ブラケット４２に両端部がそれぞれ軸支された支持アーム４３とを有して構成されている。支持アーム４３は、その一端側がピン（一端側連結部）４４によって略水平な回動軸回りに回動自在に枠側ブラケット４１に連結されるとともに、他端側がピン（他端側連結部）４５によって略水平な回動軸回りに回動自在に障子側ブラケット４２に連結され、略鉛直な面内で回動可能に構成されている。
【００１９】
枠側ブラケット４１は、折り曲げた板材から断面略コ字形に形成され、対向する一方の側面部４１Ａが扉体２の開口端縁２３にビス止め固定され、他方の側面部４１Ｂに支持アーム４３の一端側が連結されている。そして、枠側ブラケット４１の他方の側面部上面は、円弧状に形成されており、この上面により支持アーム４３の側面から突出して設けられた突出ピン４３Ａを案内することができるようになっている。
また、左右の開口端縁２３における上部に設けられた障子支持部４（上部障子支持部４Ａ）の支持アーム４３のピン４４を挟んで他端側のピン４５と反対側端部には、後述するメンテナンス位置まで障子３が開放された際に、枠側ブラケット４１の背面部４１Ｃに当接する当接面部４３Ｂが形成されている。
一方、左右の開口端縁２３における下部に設けられた障子支持部４（下部障子支持部４Ｂ）の支持アーム４３同士は、枠側ブラケット４１の他方の側面部４１Ｂを貫通するとともに障子３の下框３２の下側に沿って延びる回転軸（連結部材）４６で互いに連結されており、この回転軸４６により一対の支持アーム４３同士の回動を同期させる同期手段が構成されている。
【００２０】
以上の各障子支持部４における支持アーム４３のピン（他端側連結部）４５は、図８に示すように、円弧状の回動軌跡Ｃを描いて回動するようになっており、障子３が閉鎖位置にある状態（図中、一点鎖線で示す）と、障子３が開放位置にある状態（図中、実線で示す）とで、開口端縁２３の長手方向に沿いかつ支持アーム４３のピン（一端側連結部）４４を通る軸線Ａに対して見込み方向の略対称位置に位置するようになっている。すなわち、閉鎖位置にある障子３と開放位置にある障子３とが略同一の高さ位置に位置するようになっており、開放または閉鎖途中の障子３は、閉鎖位置および開放位置よりも若干上側にずれた位置を通過するようになっている。ただし、障子３の突没距離に比べて支持アーム４３の回動半径（ピン４４，４５間の距離）を比較的大きく（例えば、２倍以上などに）設定しておくことで、障子３の上側へのずれ量を極めて小さくすることができる。具体的には、例えば、障子３の突没距離を２５mm、支持アーム４３の回動半径を６５mm程度に設定したとすると、開閉中間位置における障子３の上側へのずれ量が１mm程度となる。このように障子３の突没移動の軌跡が、見込み方向に沿った直線移動の軌跡に近似しているので、設計上、障子３の上側へのずれ量をほぼ無視しても大きな問題を生じないようにできる。
【００２１】
次に、障子操作部５は、図９〜図１２に示すように、扉体２の左右の開口端縁２３における高さ方向略中間位置の室内側側面に固定された操作本体部としてのベース部５１と、このベース部５１に回動自在かつ見込み方向にスライド自在に支持された操作アーム（回動部材）５２と、この操作アーム５２に回動自在に連結されかつベース部５１に対して見込み方向にスライド自在に支持されたスライド部材５３と、このスライド部材５３を室外側に向かって付勢する付勢手段としての２つのコイルばね５６とを有して構成されている。そして、スライド部材５３の室外側（他方側）に障子３が連結されている。また、左右一対の操作アーム５２同士は、操作ハンドル５４で連結されている。
【００２２】
ベース部５１は、開口端縁２３に固定される第１部材としての固定部材５１Ａと、この固定部材５１Ａに上下方向にスライド自在に支持された第２部材としてのスライドベース部５１Ｂとを有して構成されており、スライドベース部５１Ｂを下方にスライドさせることで、後述するように障子３をメンテナンス位置に移動させることができるようになっている。また、ベース部５１の固定部材５１Ａには、見込み方向に沿った案内溝５１Ｃが形成されており、操作アーム５２とスライド部材５３とを回動自在に連結する連結ピン５２Ａが案内溝５１Ｃに案内されることで、操作アーム５２およびスライド部材５３が見込み方向にスライド可能になっている。このような案内溝５１Ｃや、連結ピン５２Ａ（スライド部材５３の一端側）は、スライドベース部５１Ｂや操作アーム５２に覆われるようになっており、障子操作部５の外側から容易に見ることができない位置に設けられている。また、コイルばね５６は、固定部材５１Ａの内側に設けられており、障子操作部５の外側から見えないようになっている。
【００２３】
操作アーム５２は、連結ピン（回動中心）５２Ａ回りに回動可能にベース部５１の固定部材５１Ａに支持されるとともに、スライドベース部５１Ｂに当接可能な第１および第２の当接面部５２Ｂ，５２Ｃを有して形成されている。そして、操作アーム５２は、第１当接面部５２Ｂがスライドベース部５１Ｂの被当接面部５１Ｄに当接する閉位置（図１０(Ａ)の位置）と、第２当接面部５２Ｃがスライドベース部５１Ｂの被当接面部５１Ｄに当接する開位置（図１０(Ｂ)の位置）との間を回動可能に構成されている。連結ピン５２Ａから第１当接面部５２Ｂまでの法線方向の距離Ｌ１は、連結ピン５２Ａから第２当接面部５２Ｃまでの法線方向の距離Ｌ２よりも大きく設定され、これらの距離Ｌ１と距離Ｌ２との差が障子３の閉鎖位置と開放位置とにおける突没移動距離（Ｌ１−Ｌ２）になっている。
【００２４】
障子操作部５において、操作ハンドル５４を操作して操作アーム５２を、図１０(Ａ)の状態から図１０(Ｂ)の状態に下方へ向かって回動させることで、コイルばね５６に付勢されたスライド部材５３が室外側に向かってスライドされる。一方、上方へ向かって操作アーム５２を回動することで、コイルばね５６の付勢力に抗してスライド部材５３が室内側に向かってスライドされる。そして、スライド部材５３が室内側にスライドされた位置において、閉位置にある操作アーム５２の第１当接面部５２Ｂがスライドベース部５１Ｂの被当接面部５１Ｄに当接する、あるいはスライド部材５３が室外側にスライドされた位置において、開位置にある操作アーム５２の第２当接面部５２Ｃが被当接面部５１Ｄに当接することで、操作アーム５２およびスライド部材５３が位置決めされるようになっている。すなわち、障子３が閉鎖位置および開放位置のいずれかの位置に位置決めされるようになっている。
【００２５】
スライド部材５３の室外側先端部には、上方に開口して上下に長く形成された係止溝５３Ａが形成されており、この係止溝５３Ａには、障子３の縦框３３の高さ方向略中間位置に固定された被係止ピン５５が挿入されている。そして、被係止ピン５５は、スライド部材５３の係止溝５３Ａによって、見込み方向に移動不能かつ上下方向に移動可能に係止されている。従って、操作アーム５２の回動によるスライド部材５３のスライドに伴って、係止溝５３Ａおよび被係止ピン５５を介してスライド部材５３に連結された障子３が見込み方向に突没移動されるようになっている。そして、前述したように、突没移動に際して障子３が上側にずれることとなるが、被係止ピン５５が係止溝５３Ａ内で上下に摺動することで、上側へのずれが吸収されて障子３の突没移動が規制されないようになっている。
【００２６】
以上のような障子支持部４および障子操作部５によって開閉可能に支持された障子３は、図１３および図１４に示すように、開放位置よりもさらに室外側に突出したメンテナンス位置まで開放できるようになっている。
図１３および図１４は、それぞれドア１を示す縦断面図および横断面図であり、障子３をメンテナンス位置まで開いた状態を示している。
このメンテナンス位置まで障子３を開放した状態において、扉体２と障子３との間に形成される隙間から手や工具を挿入することで、障子支持部４の連結を解除して障子３を扉体２から取り外したり、通気部３２Ａ，３３Ａの網を交換または掃除したりすることができるようになっている。
【００２７】
このようなメンテナンス位置へ障子３を開放するためには、先ず、図１１(Ｃ)および図１３に示すように、操作アーム５２を下方に回動させた状態（開位置）で、スライドベース部５１Ｂを操作アーム５２よりも下方までスライドさせる。これによりスライドベース部５１Ｂの被当接面部５１Ｄと操作アーム５２の第２当接面部５２Ｃとの当接が解除され、操作アーム５２が室外側にスライド可能になる。次に、操作アーム５２を室外側に押し出すことで、スライド部材５３が室外側にスライドされ、このスライドに伴ってスライド部材５３に連結された障子３がメンテナンス位置まで突出される。この際、障子支持部４の支持アーム４３は、図８に二点鎖線で示す位置まで回動し、そのピン（他端側連結部）４５が回動軌跡Ｃに沿って下方に移動する。つまり、障子３全体が下方に下がることとなるが、障子３の被係止ピン５５がスライド部材５３の係止溝５３Ａ内を下側に摺動するため、障子３の移動が規制されないようになっている。
【００２８】
このような本実施形態によれば、以下のような効果がある。
（１）すなわち、障子操作部５における操作アーム５２を開位置に回動操作することでコイルばね５６の付勢力でスライド部材５３が室外側にスライド移動されるとともに、操作アーム５２の第２当接面部５２Ｃがスライドベース部５１Ｂの被当接面部５１Ｄに当接して障子３を開放位置に位置決めすることができる。一方、操作アーム５２を閉位置に回動操作することでコイルばね５６の付勢力に抗してスライド部材５３が室内側にスライド移動されるとともに、操作アーム５２の第１当接面部５２Ｂがスライドベース部５１Ｂの被当接面部５１Ｄに当接して障子３を閉鎖位置に位置決めすることができる。従って、操作アーム５２を回動させるだけの簡単な操作で障子３を開閉することができ、開閉操作の操作性を良好にすることができる。
【００２９】
（２）さらに、操作アーム５２における連結ピン５２Ａから第１当接面部５２Ｂまでの法線方向の距離Ｌ１が、連結ピン５２Ａから第２当接面部５２Ｃまでの法線方向の距離Ｌ２よりも大きく設定されているので、この距離Ｌ１，Ｌ２の差分（Ｌ１−Ｌ２）だけスライド部材５３および障子３を突没させることができる。そして、操作アーム５２に第１および第２の当接面部５２Ｂ，５２Ｃを形成しておくだけの簡単な構造で障子３の突没移動距離を設定することができ、障子操作部５の構造を簡単にして製造コストの低減を図ることができる。
【００３０】
（３）また、スライド部材５３の一端側である連結ピン５２Ａやコイルばね５６が、障子操作部５の外側から見えにくいあるいは見えない位置に設けられているので、従来の突出し窓のように開閉操作部の構造が露出することがなく、ドア１の意匠性を向上させることができる。
【００３１】
（４）さらに、左右一対の操作アーム５２同士が操作ハンドル５４で連結されているので、操作ハンドル５４の操作で一対の操作アーム５２を回動させることができ、各障子操作部５の操作アーム５２を両手で操作する必要がなく、片手でも開閉操作することができて操作性をさらに良好にすることができる。
【００３２】
（５）また、扉体２の開口端縁２３と障子３の縦框３３とが支持アーム４３で直接連結され、この支持アーム４３の回動軌跡に沿って障子３が突没移動されるので、複雑なリンク機構等を用いることなく障子３を支持することができ、障子支持部４の構造を簡単化して部品点数を削減し、製造コストをさらに抑制することができる。そして、障子支持部４が左右の開口端縁２３の上部および下部に設けられているので、障子３を開放した状態で障子支持部４が目立たないようにでき、ドア１の外観意匠性を良好にすることができる。
【００３３】
（６）また、障子操作部５とは別に障子支持部４が設けられているので、障子操作部５には障子３の重量がほとんど作用せず、小さな操作力でスムーズに開閉操作を実施することができる。そして、障子操作部５のスライド部材５３に形成した係止溝５３Ａで障子３の被係止ピン５５が上下に摺動自在に係止されているので、開閉途中における障子３が支持アーム４３の回動軌跡Ｃに沿って円弧状に移動して上側にずれても、このずれを係止溝５３Ａで吸収することができ、障子３の移動を拘束することなくスムーズな開閉操作を実現することができる。
【００３４】
（７）また、障子３を開放位置まで開放した状態において、障子３の上框３１、下框３２、および左右の縦框３３と扉体２の上下左右の開口端縁２１，２２，２３との隙間が、障子３の止水片部３１Ａおよび通気部３２Ａ，３３Ａで覆われるので、雨の浸入や虫等の侵入を防止しつつ、通気部３２Ａ，３３Ａを通して通気や換気が実施でき、室内の居住性を向上することができる。さらに、障子操作部５の操作により障子３をメンテナンス位置まで開放すれば、障子３を扉体２から取り外したり、通気部３２Ａ，３３Ａの掃除したり等のメンテナンス作業を容易に実施することができる。
【００３５】
〔第２実施形態〕
次に、本発明の第２実施形態に係る建具であるドア１Ａについて、図１５に基づいて説明する。
図１５は、第２実施形態のドア１Ａを示す縦断面図であり、障子３を開いた状態を示している。
本実施形態のドア１Ａは、前記第１実施形態のドア１に対して障子操作部５の構成が相違するのみで、その他の構成は、第１実施形態と略同様である。以下、相違点について説明する。
【００３６】
図１５において、ドア１Ａに設けられた障子操作部５は、第１実施形態と同様にベース部５１と、操作アーム５２と、スライド部材５３と、付勢手段（不図示）とを有して構成されている。そして、スライド部材５３の室外側端部には、障子３の縦框３３に沿って上下に延びる鉛直片部５３Ｂが設けられている。そして、鉛直片部５３Ｂの上端部および下端部に前記係止溝５３Ａと同様に上下に長く形成された２つの係止溝５３Ａが形成されている。また、障子３の縦框３３には、前記被係止ピン５５と同様の被係止ピン５５が二箇所に設けられ、これらの被係止ピン５５がそれぞれ二箇所の係止溝５３Ａに、見込み方向に移動不能かつ上下方向に移動可能に係止されている。
【００３７】
このような障子操作部５では、操作アーム５２の回動によるスライド部材５３のスライドに伴って、鉛直片部５３Ｂ、係止溝５３Ａおよび被係止ピン５５を介して障子３が見込み方向に突没移動されるようになっている。そして、第１実施形態と同様に、突没移動に際して支持アーム４３の回動軌跡に沿って障子３が上側にずれる、あるいはメンテナンス位置への移動に際して障子３が下がったとしても、被係止ピン５５が係止溝５３Ａに沿って上下に摺動することで、障子３の突没移動が規制されないようになっている。
【００３８】
このような本実施形態によれば、前述の(１)〜(７)の効果に加えて以下のような効果がある。
（８）すなわち、スライド部材５３に設けた鉛直片部５３Ｂの上下二箇所の係止溝５３Ａで障子３の被係止ピン５５を係止し、これら二箇所で障子３を押し引きして突没移動させることで、障子３を見込み方向に沿って直線的に移動させることができ、障子３が上下に傾いて移動されるような異常な開閉が防止でき、開閉操作の操作性をさらに良好にすることができる。
【００３９】
〔第３実施形態〕
次に、本発明の第３実施形態に係る建具であるドア１Ｂについて、図１６および図１７に基づいて説明する。
図１６は、第３実施形態のドア１Ｂを示す姿図であって、室外側から見た外観姿図である。図１７は、ドア１Ｂを示す横断面図であり、障子３を閉じた状態を示している。
本実施形態のドア１Ｂは、前記第１および第２実施形態のドア１，１Ａにおける障子３の室外側にガラスパネル３４を覆って格子体６を取り付けたもので、扉体２や障子３、障子支持部４、障子操作部５の構成は、第１または第２実施形態と略同様である。
【００４０】
図１６および図１７において、格子体６は、障子３の縦框３３の室外側側面に室内側からビス止め固定された左右一対の縦枠材６１と、これらの縦枠材６１間に渡って固定された複数の横材６２と、これらの横材６２に交差して横材６２の室外側に固定された複数の縦材６３とを有して構成されている。そして、格子体６は、障子３の開閉移動に伴って障子３と一体に開閉されるようになっている。このような格子体６は、前述したように障子３をメンテナンス位置に開放した状態で、室内側からビスを外すことで、障子３に対して脱着可能に構成されている。また、前記止水片部３１Ａおよび通気部３２Ａ，３３Ａを格子体６に形成し、格子体６の脱着とともに止水片部３１Ａや通気部３２Ａ，３３Ａの交換、清掃等が実施できるように構成してもよい。
【００４１】
このような本実施形態によれば、前述の(１)〜(７)および（８）の効果に加えて以下のような効果がある。
（９）すなわち、障子３におけるガラスパネル３４の室外側を覆う格子体６を設けたことで、ガラス破り等の不法行為を防止することができ、ドア１Ｂの防犯性を向上させることができる。さらに、格子体６が室内側からビス止め固定されているので、障子３が閉鎖位置および開放位置にある状態において、室外側から格子体６を取り外すことができず、防犯性をさらに向上させることができる。また、障子３をメンテナンス位置に移動させれば、室内側からビスを外して室外側から格子体６を取り外すことができるので、交換や補修等を容易に実施することができる。
【００４２】
なお、本発明は、前記各実施形態に限定されるものではなく、本発明の目的を達成できる他の構成等を含み、以下に示すような変形等も本発明に含まれる。
例えば、前記各実施形態では、建具として出入り口に設けられるドア１，１Ａ，１Ｂについて説明したが、本発明の建具は、ドアに限らず、窓であってもよい。そして、建具の枠体としては、ドア１，１Ａ，１Ｂの扉体２に限らず、建物に固定された窓枠や、建物の躯体に形成された開口部であってもよい。
【００４３】
また、前記各実施形態では、障子支持部４を開口部２Ａの左右の開口端縁２３に設け、障子３の縦框３３に支持アーム４３を連結したが、これに限らず、障子支持部４を開口部２Ａの上下の開口端縁２１，２２に設けて、障子３の上框３１および下框３２に支持アーム４３を連結してもよく、さらに障子支持部４を開口部２Ａの上下左右の開口端縁２１，２２，２３に設けて、障子３の上框３１、下框３２、および左右の縦框３３に支持アーム４３を連結してもよい。また、障子３を開閉自在に支持する構造としては、障子支持部４のものに限らず、従来の突出し窓と同様の平行リンク機構や、その他任意の支持構造が採用可能である。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の第１実施形態に係る建具を示す室内側から見た姿図である。
【図２】前記建具を室外側から見た姿図である。
【図３】前記建具を示す縦断面図である。
【図４】前記建具を示す横断面図である。
【図５】前記建具において面材が開放位置にある状態を示す縦断面図である。
【図６】前記建具において面材が開放位置にある状態を示す横断面図である。
【図７】前記建具における面材の支持構造を示す横断面図である。
【図８】(Ａ)，(Ｂ)は、前記支持構造の動作を示す側面図である。
【図９】前記建具における面材の面材操作部を示す横断面図である。
【図１０】(Ａ)，(Ｂ)は、前記面材操作部を拡大して示す側面図である。
【図１１】(Ａ)〜(Ｃ)は、前記面材操作部の動作を示す側面図である。
【図１２】(Ａ)〜(Ｃ)は、前記面材操作部の動作を示す断面図である。
【図１３】前記建具において面材がメンテナンス位置にある状態を示す縦断面図である。
【図１４】前記建具において面材がメンテナンス位置にある状態を示す横断面図である。
【図１５】本発明の第２実施形態に係る建具を示す縦断面図である。
【図１６】本発明の第３実施形態に係る建具を示す室外側から見た姿図である。
【図１７】前記建具を示す横断面図である。
【符号の説明】
【００４６】
２…枠体である扉体、２Ａ…開口部、３…面材である障子、５…面材操作部である障子操作部、２１，２２，２３…開口端縁、５１…操作本体部であるベース部、５１Ａ…第１部材である固定部材、５１Ｂ…第２部材であるスライドベース部、５１Ｄ…被当接面部、５２…回動部材である操作アーム、５２Ａ…回動中心である連結ピン、５２Ｂ…第１当接面部、５２Ｃ…第２当接面部、５３…スライド部材、５４…操作ハンドル、５６…付勢手段であるコイルばね。
【図１】
2006328909.tif 000003
【図２】
2006328909.tif 000004
【図３】
2006328909.tif 000005
【図４】
2006328909.tif 000006
【図５】
2006328909.tif 000007
【図６】
2006328909.tif 000008
【図７】
2006328909.tif 000009
【図８】
2006328909.tif 000010
【図９】
2006328909.tif 000011
【図１０】
2006328909.tif 000012
【図１１】
2006328909.tif 000013
【図１２】
2006328909.tif 000014
【図１３】
2006328909.tif 000015
【図１４】
2006328909.tif 000016
【図１５】
2006328909.tif 000017
【図１６】
2006328909.tif 000018
【図１７】
2006328909.tif 000019